(57)【要約】【課題】梱包容量を低減できる軒樋受け具を提供する。【解決手段】軒樋２をその外面に沿って受け支持する支持部５を備え、建築構造物に固定されるようにした軒樋受け具１であって、支持部５は、帯板形状の２枚の分割支持片１０、２０を、端部同士で上下に重合し、回転自在に軸結合して構成されており、２枚の分割支持片１０、２０は、両分割支持片１０、２０が平面視で略直線状に結合されているとき、相互に固定された状態にある一方、両分割支持片１０、２０が固定された状態にあるときに、いずれか一方の分割支持片を回転させることで固定状態が解除される。【選択図】図１
2015025321.tif 000002
【特許請求の範囲】
【請求項１】
軒樋をその外面に沿って受け支持する支持部を備え、建築構造物に固定されるようにした軒樋受け具において、
前記支持部は、帯板形状の２枚の分割支持片を、端部同士で上下に重合し、回転自在に軸結合して構成されており、
前記２枚の分割支持片は、両分割支持片が平面視で略直線状に結合されているとき、相互に固定された状態にある一方、両分割支持片が固定された状態にあるときに、いずれか一方の分割支持片を回転させることで固定状態が解除されることを特徴とする軒樋受け具。
【請求項２】
請求項１において、
前記２枚の分割支持片のうち、一方の分割支持片の端部の板面に、他方の分割支持片の板面に向かって突出した突部が形成されており、
前記２枚の分割支持片は、両分割支持片が平面視で略直線状となったときに、前記突部が両分割支持片の間に配され圧接状態となって相互に固定される構造となっている軒樋受け具。
【請求項３】
請求項１または２において、
前記建築構造物に固定させる取付杆をさらに備えており、該取付杆の端部で前記２枚の分割支持片を結合するための軸を構成している軒樋受け具。
【請求項４】
請求項１〜３のいずれか１項において、
前記２枚の分割支持片は、帯板のほぼ全長にわたり重合し得る形状とされる軒樋受け具。
【発明の詳細な説明】
【技術分野】
【０００１】
本発明は、軒樋を吊り支持する軒樋受け具に関する。
【背景技術】
【０００２】
従来の軒樋受け具は、丸樋、角樋のいずれについても、軒樋の外形に沿って帯板を折曲して形成した支持部と、帯板を直線状、湾曲状など種々の形状に加工した取付部（取付杆）とが一体化されて取り扱われることが一般的である（たとえば、特許文献１参照）。
【０００３】
このような軒樋吊り具は、複数個が箱詰めされた状態で保管され、施工現場にも、箱詰めされた状態で持ち込まれることが通例である。
【先行技術文献】
【特許文献】
【０００４】
【特許文献１】特開２００２−１６７９２０号公報
【発明の概要】
【発明が解決しようとする課題】
【０００５】
しかしながら、この種の軒樋受け具は、特許文献１に図示されているように、決して箱詰めしやすい形状ではなく、特に複数個を梱包した場合には箱内に不要な大きい空間ができてしまう。また、重合しにくい形状であるため、複数個を紐で縛った場合でも嵩が大きくなり取り扱いがしにくくなる。
【０００６】
本発明は、このような事情を考慮して提案されたもので、その目的は、梱包容量を低減できる軒樋受け具を提供することにある。
【課題を解決するための手段】
【０００７】
上記目的を達成するために、請求項１に記載の軒樋受け具は、軒樋をその外面に沿って受け支持する支持部を備え、建築構造物に固定されるようにした軒樋受け具において、支持部は、帯板形状の２枚の分割支持片を、端部同士で上下に重合し、回転自在に軸結合して構成されており、２枚の分割支持片は、両分割支持片が平面視で略直線状に結合されているとき、相互に固定された状態にある一方、両分割支持片が固定された状態にあるときに、いずれか一方の分割支持片を回転させることで固定状態が解除されることを特徴とする。
【０００８】
請求項２に記載の軒樋受け具は、２枚の分割支持片のうち、一方の分割支持片の端部の板面に、他方の分割支持片の板面に向かって突出した突部が形成されており、２枚の分割支持片は、両分割支持片が平面視で略直線状となったときに、突部が両分割支持片の間に配され圧接状態となって相互に固定される構造となっている。
【０００９】
請求項３に記載の軒樋受け具は、建築構造物に固定させる取付杆をさらに備えており、該取付杆の端部で２枚の分割支持片を結合するための軸を構成している。
【００１０】
請求項４に記載の軒樋受け具は、２枚の分割支持片は、帯板のほぼ全長にわたり重合し得る形状とされる。
【発明の効果】
【００１１】
請求項１に記載の軒樋受け具によれば、上述した構成となっているため、保管、運搬などの際に、支持部を折り畳んでコンパクトな大きさにすることができる。つまり、梱包容量を低減でき、梱包数量の増加を見込め、保管、運搬コストの低減化を図ることができる。
【００１２】
請求項２に記載の軒樋受け具によれば、上述した構成となっているため、２枚の分割支持片を使用（軒樋を支持できる）状態にするだけで両分割支持片を固定することができる。
【００１３】
請求項３に記載の軒樋受け具によれば、２枚の分割支持片を結合する軸を、建築構造物に固定させるための取付杆の端部で形成した構成であるため、他の結合部材を用いる必要がなく、部品点数を少なくできる。
【００１４】
請求項４に記載の軒樋受け具によれば、２枚の分割支持片が帯板のほぼ全長にわたり重合し得る形状となっているため、支持部の寸法を約半分にすることができる。
【図面の簡単な説明】
【００１５】
【図１】本発明の一実施形態に係る軒樋受け具の説明図であり、（ａ）は分解縦断面図、（ｂ）は使用状態を示す縦断面図である。
【図２】２枚の分割支持片の固定／固定解除の態様を示す説明図であり、（ａ）は固定状態（軒樋を支持し得る状態）を示す要部模式拡大平面図、（ｂ）は固定解除状態を示す要部模式拡大平面図、（ｃ）は折り畳んだときの固定状態を示す要部模式拡大平面図である。
【図３】２枚の分割支持片を折り畳み重ね合わせた状態を示す縦断面図である。
【図４】本発明の他の実施形態に係る軒樋受け具の説明図であり、（ａ）は使用状態を示す縦断面図および要部拡大断面図、（ｂ）は２枚の分割支持片を折り畳み重ね合わせた状態を示す縦断面図である。
【発明を実施するための形態】
【００１６】
以下に、本発明の実施の形態について、添付図面を参照して説明する。
図１〜図３は、本発明の一実施形態に係る軒樋受け具の説明図である。
【００１７】
本軒樋受け具１は、図１（ａ）に示すように、前耳係止部２１を有した帯板形状の前側分割支持片２０と、後耳係止部１１を有した帯板形状の後側分割支持片１０と、軒樋受け具１を建築構造物３に固定させるための取付杆３０との３部材よりなる。
【００１８】
前側分割支持片２０と後側分割支持片１０とは、それらを結合固定することで、軒樋２をその外面に沿って受け支持するための支持部５を構成している。これら分割支持片１０、２０は、その主要部が湾曲状に加工形成され、使用可能に結合固定することで、図１（ｂ）に示すように、丸樋を支持し得る略半円形状となる。
【００１９】
後側分割支持片１０は、一方の端部に後耳係止部１１を備え、他方の端部に前側分割支持片２０と軸結合するための軸孔１２が開設されている。後耳係止部１１は、軒樋２の後耳２ａを装着し得る係合凹部１１ａを有した折曲形状となっている。後側分割支持片１０の軸孔１２を有したほうの端部の下面には、軸孔１２を囲む位置に湾曲先端面を有した複数の突部１３、１３、・・・が形成されている。
【００２０】
前側分割支持片２０は、一方の端部に前耳係止部２１を備え、他方の端部に後側分割支持片１０と軸結合するための軸孔２２が開設されている。前耳係止部２１は、軒樋２の前耳２ｂを載置し得る載置部２１ａと、上方に突出した突片部２１ｂとよりなり、「く」字形状とされる。この前耳係止部２１は、載置部２１ａに軒樋２の前耳２ｂを載置し、突片部２１ｂを後方に折り曲げることで前耳２ｂを係止できるようになっている。
【００２１】
取付杆３０は、支持部５の中央から下方向に延びた連結部３１と、その連結部３１の下端より上方に傾斜して延び、垂木（建築構造物）に打込むための尖端部３４ａを有した足部３４とを備えている。連結部３１の上端部には、前側分割支持片２０と後側分割支持片１０とを軸結合するための軸３２が形成され、軸３２の下端側には軸３２の周方向に突出した鍔部３３が形成されている。
【００２２】
２枚の分割支持片１０、２０は、後側分割支持片１０を上に配した状態で、突部１３が前側分割支持片２０の上面に向かうようにして端部同士が重合され、重合した軸孔１２、２２に取付杆３０の連結部３１の上端に形成された軸３２を挿通させ、軸孔１２、２２より上方に突出した部位をかしめたことで、２枚の分割支持片１０、２０は取付杆３０とともに連結されている。
【００２３】
軒樋受け具１は、図１（ｂ）のように軒樋２を支持できる状態にあるときには、図２（ａ）に示すように平面視で略直線状に結合されており、このときには後側分割支持片１０に設けた突部１３の作用により両分割支持片１０、２０は相互に固定された状態にある。
【００２４】
この状態で、その後耳係止部１１の係合凹部１１ａに軒樋２の後耳２ａを装着し、前耳２ｂを前耳係止部２１の載置部２１ａに載置し、ついで後耳係止部１１の係合凹部１１ａの開口１１ｂを閉じるように締め付け、前耳係止部２１の突片部２１ｂを後方に折り曲げることで、軒樋２を支持部５に装着固定することができる（図１（ｂ）参照）。
【００２５】
ついで、軒樋受け具１の回転操作による両分割支持片１０、２０の固定と固定解除について、図２および図３を参照しながら説明する。
【００２６】
図２（ａ）に示すように、２枚の分割支持片１０、２０は、両分割支持片１０、２０が平面視で略直線状となったときに、突部１３が両分割支持片１０、２０の間に配され圧接状態となって相互に固定され、ロック状態となる。なお、ロック状態が容易に解除されないように、突部１３に対応する前側分割支持片２０の箇所に、突部１３を係合する凹部を形成してもよい。また、突部１３は前後に１つずつ設けてもよいし、前後の一方のみに設けてもよい。
【００２７】
また、図２（ｂ）に示すように、一方の分割支持片２０（図例では前側分割支持片２０）を横方向に回転操作すると、突部１３が前側分割支持片２０の上面より外れてロック解除状態となる。
【００２８】
なお、ロック解除状態で分割支持片１０、２０が回転自在となり、ロック状態で２枚の分割支持片１０、２０が相互に固定されるように、軸３２の実質長さ寸法（かしめ部３２ａ（頭部）と鍔部３３との間の寸法）を調節して、２部材を軸結合しておけばよい。
【００２９】
さらに、前側分割支持片２０を回転させて、図２（ｃ）、図３のように両分割支持片１０、２０をほぼ全長にわたり重合すると、突部１３が両分割支持片１０、２０の間に配され圧接状態となって相互に固定され、ロック状態となる。
【００３０】
このように軒樋受け具１を折り畳むと、図３に示すように、両分割支持片１０、２０の帯板のほぼ全長が重なって支持部５が約半分の寸法となる。そのため、軒樋受け具１を保管、運搬などする際にコンパクトな形状、寸法にすることができる。つまり、梱包容量を低減でき、梱包数量の増加を見込め、保管、運搬コストの低減化を図ることができる。
【００３１】
また、突部１３により圧接状態に固定する構成であるため、固定具を使用せずに、支持部５を簡単に固定された状態にすることができる。特に、両分割支持片１０、２０を使用（軒樋２を支持できる）状態にするだけで固定できるので、施工現場で使いやすい。また、折り畳んだときにも支持部５は固定された状態となるので、運搬の際のがたつきを防止することができる。
【００３２】
つぎに、図４を参照して、本発明の他の実施形態に係る軒樋受け具について説明する。
【００３３】
この軒樋受け具１は角樋を支持する受け具であり、前耳係止部２１を有した帯板形状の前側分割支持片２０と、後耳係止部１１を有した帯板形状の後側分割支持片１０と、軒樋受け具１を建築構造物３に固定させるための取付杆３０とよりなる。
【００３４】
前側分割支持片２０と後側分割支持片１０とは、それらを結合固定することで、軒樋２をその外面に沿って受け支持するための支持部５が形成される。これら分割支持片１０、２０は、角樋の前後のそれぞれの形状に対応して角形に加工形成されている（図４（ａ）参照）。
【００３５】
後側分割支持片１０は、一方の端部に別体の係止片１１ｃを取り付けてなる後耳係止部１１を備え、他方の（底部１４の）端部に前側分割支持片２０と軸結合するための軸孔１２が開設されている。後耳係止部１１の後方には、Ｌ字形状の取付杆３０が連設されている。後耳係止部１１は、軒樋２の後耳２ａを載置し得る載置部１１ｄと、上方に突出した突片部１１ｅとよりなる。この後耳係止部１１は、載置部１１ｄに軒樋２の後耳２ａを載置し、突片部１１ｅを前方に折り曲げることで後耳２ａを係止できるようになっている。
【００３６】
前側分割支持片２０は、一方の端部に前耳係止部２１を備え、他方の（底部２４の）端部に後側分割支持片１０と軸結合するための軸孔２２が開設されている。前耳係止部２１は、軒樋２の前耳２ｂを載置し得る載置部２１ａと、上方に突出した突片部２１ｂとよりなる。この前耳係止部２１は、載置部２１ａに軒樋２の前耳２ｂを載置し、突片部２１ｂを後方に折り曲げることで前耳２ｂを係止できるようになっている。前側分割支持片２０の軸孔２２を有したほうの端部の下面の軸孔２２を囲む位置に、湾曲先端面を有した複数の突部２３、２３が形成されている。
【００３７】
取付杆３０は、上述したように後側分割支持片１０の本体部と一体に成形されており、後側分割支持片１０に連結された連結部３１と、壁などの建築構造物３に固定される取付部３５とを有している。
【００３８】
２枚の分割支持片１０、２０は、前側分割支持片２０を上に配した状態で、突部２３が後側分割支持片１０の上面に向かうようにして端部同士が重合され、重合した軸孔１２、２２にリベット４０（軸）を通して軸結合してある。
【００３９】
軒樋受け具１は、前側分割支持片２０を横方向に回転操作することで、使用（軒樋を支持できる）状態（図４（ａ）参照）と、折り畳み状態（図４（ｂ）参照）とに形状を変えることができる。これら２つの状態はいずれも、突部２３が２枚の分割支持片１０、２０間に配されて圧接状態となり、ロック状態となる。また、突部２３が２枚の分割支持片１０、２０間から外れると、ロック解除状態となる。
【００４０】
本実施形態においても、図１の実施形態と同様、ロック解除状態で分割支持片１０、２０が回転自在となり、ロック状態で２枚の分割支持片１０、２０が相互に固定されるように、リベット４０の実質軸長さ寸法（リベット４０のかしめ部４１（頭部）と下側の頭部４２との間の寸法）を調節して、２部材を軸結合しておけばよい。
なお、突部２３の形状、個数、形成位置、回転操作などについては、図１〜図３に示した実施形態のものと同様であるため、図示をおよびその説明は省略する。
【００４１】
この軒樋受け具１についても、図４（ｂ）のように軒樋受け具１を折り畳むと、それぞれの分割支持片１０、２０の帯板のほぼ全長が重なって支持部５が約半分の寸法となる。そのため、軒樋受け具１を保管、運搬などする際にコンパクトな寸法にすることができる。
【００４２】
以上の２実施形態ではいずれも、下向きの突部１３、２３を形成した例を示したが、他の分割支持片２０、１０に上向きの突部を形成した構成としてもよい。また、２実施形態では２枚の分割支持片１０、２０の固定手段として分割支持片１０、２０間に突部１３、２３を配して圧接状態とする例を示したが、他の固定手段を用いてもよい。たとえば、軸としてボルトを用い、蝶ナットにより螺合固定するようにしてもよい。また、固定手段としては掛止固定でもよい。
【符号の説明】
【００４３】
１          軒樋受け具
２          軒樋
２ａ        後耳
２ｂ        前耳
３          建築構造物
５          支持部
１０        分割支持片（後側分割支持片）
１１        後耳係止部
１２        軸孔
１３        突部
２０        分割支持片（前側分割支持片）
２１        前耳係止部
２２        軸孔
２３        突部
３０        取付杆
３１        連結部
３２        軸
３２ａ      かしめ部（頭部）
３３        鍔部
４０        リベット（軸）
４１        かしめ部（頭部）
４２        下側の頭部
【図１】
2015025321.tif 000003
【図２】
2015025321.tif 000004
【図３】
2015025321.tif 000005
【図４】
2015025321.tif 000006
【手続補正書】
【提出日】平成26年9月22日(2014.9.22)
【手続補正１】
【補正対象書類名】特許請求の範囲
【補正対象項目名】全文
【補正方法】変更
【補正の内容】
【特許請求の範囲】
【請求項１】
軒樋をその外面に沿って受け支持する支持部を備え、建築構造物に固定されるようにした軒樋受け具において、
前記支持部は、帯板形状の２枚の分割支持片を、端部同士で上下に重合し、回転自在に軸結合して構成されており、
前記２枚の分割支持片は、帯板のほぼ全長にわたり重合し得る形状とされ、両分割支持片が平面視で略直線状に結合されているとき、相互に固定された状態にある一方、両分割支持片が固定された状態にあるときに、いずれか一方の分割支持片を回転させることで固定状態が解除されることを特徴とする軒樋受け具。
【請求項２】
請求項１において、
前記２枚の分割支持片のうち、一方の分割支持片の端部の板面に、他方の分割支持片の板面に向かって突出した突部が形成されており、
前記２枚の分割支持片は、両分割支持片が平面視で略直線状となったときに、前記突部が両分割支持片の間に配され圧接状態となって相互に固定される構造となっている軒樋受け具。
【請求項３】
請求項１または２において、
前記建築構造物に固定させる取付杆をさらに備えており、該取付杆の端部で前記２枚の分割支持片を結合するための軸を構成している軒樋受け具。
【手続補正２】
【補正対象書類名】明細書
【補正対象項目名】全文
【補正方法】変更
【補正の内容】
【発明の詳細な説明】
【技術分野】
【０００１】
本発明は、軒樋を受け支持する軒樋受け具に関する。
【背景技術】
【０００２】
従来の軒樋受け具は、丸樋、角樋のいずれについても、軒樋の外形に沿って帯板を折曲して形成した支持部と、帯板を直線状、湾曲状など種々の形状に加工した取付部（取付杆）とが一体化されて取り扱われることが一般的である（たとえば、特許文献１参照）。
【０００３】
このような軒樋受け具は、複数個が箱詰めされた状態で保管され、施工現場にも、箱詰めされた状態で持ち込まれることが通例である。
【先行技術文献】
【特許文献】
【０００４】
【特許文献１】特開２００２−１６７９２０号公報
【発明の概要】
【発明が解決しようとする課題】
【０００５】
しかしながら、この種の軒樋受け具は、特許文献１に図示されているように、決して箱詰めしやすい形状ではなく、特に複数個を梱包した場合には箱内に不要な大きい空間ができてしまう。また、重合しにくい形状であるため、複数個を紐で縛った場合でも嵩が大きくなり取り扱いがしにくくなる。
【０００６】
本発明は、このような事情を考慮して提案されたもので、その目的は、梱包容量を低減できる軒樋受け具を提供することにある。
【課題を解決するための手段】
【０００７】
上記目的を達成するために、請求項１に記載の軒樋受け具は、軒樋をその外面に沿って受け支持する支持部を備え、建築構造物に固定されるようにした軒樋受け具において、支持部は、帯板形状の２枚の分割支持片を、端部同士で上下に重合し、回転自在に軸結合して構成されており、２枚の分割支持片は、帯板のほぼ全長にわたり重合し得る形状とされ、両分割支持片が平面視で略直線状に結合されているとき、相互に固定された状態にある一方、両分割支持片が固定された状態にあるときに、いずれか一方の分割支持片を回転させることで固定状態が解除されることを特徴とする。
【０００８】
請求項２に記載の軒樋受け具は、２枚の分割支持片のうち、一方の分割支持片の端部の板面に、他方の分割支持片の板面に向かって突出した突部が形成されており、２枚の分割支持片は、両分割支持片が平面視で略直線状となったときに、突部が両分割支持片の間に配され圧接状態となって相互に固定される構造となっている。
【０００９】
請求項３に記載の軒樋受け具は、建築構造物に固定させる取付杆をさらに備えており、該取付杆の端部で２枚の分割支持片を結合するための軸を構成している。
【００１０】
（削除）
【発明の効果】
【００１１】
請求項１に記載の軒樋受け具によれば、上述した構成となっているため、保管、運搬などの際に、支持部を折り畳んでコンパクトな大きさにすることができる。つまり、梱包容量を低減でき、梱包数量の増加を見込め、保管、運搬コストの低減化を図ることができる。
また、２枚の分割支持片が帯板のほぼ全長にわたり重合し得る形状となっているため、支持部の寸法を約半分にすることができる。
【００１２】
請求項２に記載の軒樋受け具によれば、上述した構成となっているため、２枚の分割支持片を使用（軒樋を支持できる）状態にするだけで両分割支持片を固定することができる。
【００１３】
請求項３に記載の軒樋受け具によれば、２枚の分割支持片を結合する軸を、建築構造物に固定させるための取付杆の端部で形成した構成であるため、他の結合部材を用いる必要がなく、部品点数を少なくできる。
【００１４】
（削除）
【図面の簡単な説明】
【００１５】
【図１】本発明の一実施形態に係る軒樋受け具の説明図であり、（ａ）は分解縦断面図、（ｂ）は使用状態を示す縦断面図である。
【図２】２枚の分割支持片の固定／固定解除の態様を示す説明図であり、（ａ）は固定状態（軒樋を支持し得る状態）を示す要部模式拡大平面図、（ｂ）は固定解除状態を示す要部模式拡大平面図、（ｃ）は折り畳んだときの固定状態を示す要部模式拡大平面図である。
【図３】２枚の分割支持片を折り畳み重ね合わせた状態を示す縦断面図である。
【図４】本発明の他の実施形態に係る軒樋受け具の説明図であり、（ａ）は使用状態を示す縦断面図および要部拡大断面図、（ｂ）は２枚の分割支持片を折り畳み重ね合わせた状態を示す縦断面図である。
【発明を実施するための形態】
【００１６】
以下に、本発明の実施の形態について、添付図面を参照して説明する。
図１〜図３は、本発明の一実施形態に係る軒樋受け具の説明図である。
【００１７】
本軒樋受け具１は、図１（ａ）に示すように、前耳係止部２１を有した帯板形状の前側分割支持片２０と、後耳係止部１１を有した帯板形状の後側分割支持片１０と、軒樋受け具１を建築構造物３に固定させるための取付杆３０との３部材よりなる。
【００１８】
前側分割支持片２０と後側分割支持片１０とは、それらを結合固定することで、軒樋２をその外面に沿って受け支持するための支持部５を構成している。これら分割支持片１０、２０は、その主要部が湾曲状に加工形成され、使用可能に結合固定することで、図１（ｂ）に示すように、丸樋を支持し得る略半円形状となる。
【００１９】
後側分割支持片１０は、一方の端部に後耳係止部１１を備え、他方の端部に前側分割支持片２０と軸結合するための軸孔１２が開設されている。後耳係止部１１は、軒樋２の後耳２ａを装着し得る係合凹部１１ａを有した折曲形状となっている。後側分割支持片１０の軸孔１２を有したほうの端部の下面には、軸孔１２を囲む位置に湾曲先端面を有した複数の突部１３、１３、・・・が形成されている。
【００２０】
前側分割支持片２０は、一方の端部に前耳係止部２１を備え、他方の端部に後側分割支持片１０と軸結合するための軸孔２２が開設されている。前耳係止部２１は、軒樋２の前耳２ｂを載置し得る載置部２１ａと、上方に突出した突片部２１ｂとよりなり、「く」字形状とされる。この前耳係止部２１は、載置部２１ａに軒樋２の前耳２ｂを載置し、突片部２１ｂを後方に折り曲げることで前耳２ｂを係止できるようになっている。
【００２１】
取付杆３０は、支持部５の中央から下方向に延びた連結部３１と、その連結部３１の下端より上方に傾斜して延び、垂木（建築構造物）に打込むための尖端部３４ａを有した足部３４とを備えている。連結部３１の上端部には、前側分割支持片２０と後側分割支持片１０とを軸結合するための軸３２が形成され、軸３２の下端側には軸３２の周方向に突出した鍔部３３が形成されている。
【００２２】
２枚の分割支持片１０、２０は、後側分割支持片１０を上に配した状態で、突部１３が前側分割支持片２０の上面に向かうようにして端部同士が重合され、重合した軸孔１２、２２に取付杆３０の連結部３１の上端に形成された軸３２を挿通させ、軸孔１２、２２より上方に突出した部位をかしめたことで、２枚の分割支持片１０、２０は取付杆３０とともに連結されている。
【００２３】
軒樋受け具１は、図１（ｂ）のように軒樋２を支持できる状態にあるときには、図２（ａ）に示すように平面視で略直線状に結合されており、このときには後側分割支持片１０に設けた突部１３の作用により両分割支持片１０、２０は相互に固定された状態にある。
【００２４】
この状態で、その後耳係止部１１の係合凹部１１ａに軒樋２の後耳２ａを装着し、前耳２ｂを前耳係止部２１の載置部２１ａに載置し、ついで後耳係止部１１の係合凹部１１ａの開口１１ｂを閉じるように締め付け、前耳係止部２１の突片部２１ｂを後方に折り曲げることで、軒樋２を支持部５に装着固定することができる（図１（ｂ）参照）。
【００２５】
ついで、軒樋受け具１の回転操作による両分割支持片１０、２０の固定と固定解除について、図２および図３を参照しながら説明する。
【００２６】
図２（ａ）に示すように、２枚の分割支持片１０、２０は、両分割支持片１０、２０が平面視で略直線状となったときに、突部１３が両分割支持片１０、２０の間に配され圧接状態となって相互に固定され、ロック状態となる。なお、ロック状態が容易に解除されないように、突部１３に対応する前側分割支持片２０の箇所に、突部１３を係合する凹部を形成してもよい。また、突部１３は前後に１つずつ設けてもよいし、前後の一方のみに設けてもよい。
【００２７】
また、図２（ｂ）に示すように、一方の分割支持片２０（図例では前側分割支持片２０）を横方向に回転操作すると、突部１３が前側分割支持片２０の上面より外れてロック解除状態となる。
【００２８】
なお、ロック解除状態で分割支持片１０、２０が回転自在となり、ロック状態で２枚の分割支持片１０、２０が相互に固定されるように、軸３２の実質長さ寸法（かしめ部３２ａ（頭部）と鍔部３３との間の寸法）を調節して、２部材を軸結合しておけばよい。
【００２９】
さらに、前側分割支持片２０を回転させて、図２（ｃ）、図３のように両分割支持片１０、２０をほぼ全長にわたり重合すると、突部１３が両分割支持片１０、２０の間に配され圧接状態となって相互に固定され、ロック状態となる。
【００３０】
このように軒樋受け具１を折り畳むと、図３に示すように、両分割支持片１０、２０の帯板のほぼ全長が重なって支持部５が約半分の寸法となる。そのため、軒樋受け具１を保管、運搬などする際にコンパクトな形状、寸法にすることができる。つまり、梱包容量を低減でき、梱包数量の増加を見込め、保管、運搬コストの低減化を図ることができる。
【００３１】
また、突部１３により圧接状態に固定する構成であるため、固定具を使用せずに、支持部５を簡単に固定された状態にすることができる。特に、両分割支持片１０、２０を使用（軒樋２を支持できる）状態にするだけで固定できるので、施工現場で使いやすい。また、折り畳んだときにも支持部５は固定された状態となるので、運搬の際のがたつきを防止することができる。
【００３２】
つぎに、図４を参照して、本発明の他の実施形態に係る軒樋受け具について説明する。
【００３３】
この軒樋受け具１は角樋を支持する受け具であり、前耳係止部２１を有した帯板形状の前側分割支持片２０と、後耳係止部１１を有した帯板形状の後側分割支持片１０と、軒樋受け具１を建築構造物３に固定させるための取付杆３０とよりなる。
【００３４】
前側分割支持片２０と後側分割支持片１０とは、それらを結合固定することで、軒樋２をその外面に沿って受け支持するための支持部５が形成される。これら分割支持片１０、２０は、角樋の前後のそれぞれの形状に対応して角形に加工形成されている（図４（ａ）参照）。
【００３５】
後側分割支持片１０は、一方の端部に別体の係止片１１ｃを取り付けてなる後耳係止部１１を備え、他方の（底部１４の）端部に前側分割支持片２０と軸結合するための軸孔１２が開設されている。後耳係止部１１の後方には、Ｌ字形状の取付杆３０が連設されている。後耳係止部１１は、軒樋２の後耳２ａを載置し得る載置部１１ｄと、上方に突出した突片部１１ｅとよりなる。この後耳係止部１１は、載置部１１ｄに軒樋２の後耳２ａを載置し、突片部１１ｅを前方に折り曲げることで後耳２ａを係止できるようになっている。
【００３６】
前側分割支持片２０は、一方の端部に前耳係止部２１を備え、他方の（底部２４の）端部に後側分割支持片１０と軸結合するための軸孔２２が開設されている。前耳係止部２１は、軒樋２の前耳２ｂを載置し得る載置部２１ａと、上方に突出した突片部２１ｂとよりなる。この前耳係止部２１は、載置部２１ａに軒樋２の前耳２ｂを載置し、突片部２１ｂを後方に折り曲げることで前耳２ｂを係止できるようになっている。前側分割支持片２０の軸孔２２を有したほうの端部の下面の軸孔２２を囲む位置に、湾曲先端面を有した複数の突部２３、２３が形成されている。
【００３７】
取付杆３０は、上述したように後側分割支持片１０の本体部と一体に成形されており、後側分割支持片１０に連結された連結部３１と、壁などの建築構造物３に固定される取付部３５とを有している。
【００３８】
２枚の分割支持片１０、２０は、前側分割支持片２０を上に配した状態で、突部２３が後側分割支持片１０の上面に向かうようにして端部同士が重合され、重合した軸孔１２、２２にリベット４０（軸）を通して軸結合してある。
【００３９】
軒樋受け具１は、前側分割支持片２０を横方向に回転操作することで、使用（軒樋を支持できる）状態（図４（ａ）参照）と、折り畳み状態（図４（ｂ）参照）とに形状を変えることができる。これら２つの状態はいずれも、突部２３が２枚の分割支持片１０、２０間に配されて圧接状態となり、ロック状態となる。また、突部２３が２枚の分割支持片１０、２０間から外れると、ロック解除状態となる。
【００４０】
本実施形態においても、図１の実施形態と同様、ロック解除状態で分割支持片１０、２０が回転自在となり、ロック状態で２枚の分割支持片１０、２０が相互に固定されるように、リベット４０の実質軸長さ寸法（リベット４０のかしめ部４１（頭部）と下側の頭部４２との間の寸法）を調節して、２部材を軸結合しておけばよい。
なお、突部２３の形状、個数、形成位置、回転操作などについては、図１〜図３に示した実施形態のものと同様であるため、図示をおよびその説明は省略する。
【００４１】
この軒樋受け具１についても、図４（ｂ）のように軒樋受け具１を折り畳むと、それぞれの分割支持片１０、２０の帯板のほぼ全長が重なって支持部５が約半分の寸法となる。そのため、軒樋受け具１を保管、運搬などする際にコンパクトな寸法にすることができる。
【００４２】
以上の２実施形態ではいずれも、下向きの突部１３、２３を形成した例を示したが、他の分割支持片２０、１０に上向きの突部を形成した構成としてもよい。また、２実施形態では２枚の分割支持片１０、２０の固定手段として分割支持片１０、２０間に突部１３、２３を配して圧接状態とする例を示したが、他の固定手段を用いてもよい。たとえば、軸としてボルトを用い、蝶ナットにより螺合固定するようにしてもよい。また、固定手段としては掛止固定でもよい。
【符号の説明】
【００４３】
１          軒樋受け具
２          軒樋
２ａ        後耳
２ｂ        前耳
３          建築構造物
５          支持部
１０        分割支持片（後側分割支持片）
１１        後耳係止部
１２        軸孔
１３        突部
２０        分割支持片（前側分割支持片）
２１        前耳係止部
２２        軸孔
２３        突部
３０        取付杆
３１        連結部
３２        軸
３２ａ      かしめ部（頭部）
３３        鍔部
４０        リベット（軸）
４１        かしめ部（頭部）
４２        下側の頭部